(57)【要約】      （修正有）【課題】首振り式羽なし扇風機を提供する。【解決手段】底座２、及び前記底座の上端に回動自在に接続されるハウジング１を含む。ハウジングは環状の排気套、排気套内周に位置する両本機套、及び排気套と各本機套とを連通する通気管を含む。各本機套内に通気管側方向に向けて送風する送風機が取付けられる。排気套は両本機套にそれぞれ対応して連通する両通気チャンパーを含む。通気チャンパーの前端に両通気チャンパーにそれぞれ対応して連通する左排気スリットおよび右排気スリットが設けられる。異なる出力で両モータが動作するときに、左排気スリット、右排気スリットから異なる速度の気流を吹き出してハウジングを底座に対して回動させるようにできる。【選択図】図１
2020122478.tif 000002
【特許請求の範囲】
【請求項１】
底座、および前記底座の上端に回動自在に接続されるハウジングを含む首振り式羽なし
扇風機であって、
前記ハウジングは環状の排気套、前記排気套の内周に位置される両本機套、および前記
排気套と各本機套を連通する通気管を含み、
各前記本機套内に前記通気管側方向に向けて送風する送風機が取付けられており、
前記本機套の後端に進気口が設けられており、
前記排気套は両本機套にそれぞれ対応して連通する両通気チャンパーを含み、各前記本
機套と対応の通気チャンパーとが通気管を介して連通するものであり、
前記通気チャンパーの前端に排気スリットが設けられ、前記排気スリットは両通気チャ
ンパーにそれぞれ対応して連通する左排気スリットおよび右排気スリットが設けられてお
り、
異なる出力で両前記送風機が動作する時に前記左排気スリットおよび右排気スリットか
ら異なる速度の気流を吹き出して前記ハウジングを底座に対して回動可能とさせるように
構成されており、
前記排気套の下端に取付套が成形されており、前記取付套が前記ハウジング回転軸の外
周に同軸に設けられており、前記取付套の側壁に週方向に沿って均一にユーザの位置を検
出するための複数個の赤外線センサーが取付けられており、
前記取付套の下端に前記底座に回動自在に挿設される外ネジ管が固定的に接続されてお
り、前記外ネジ管の外壁に外ネジが設けられており、前記底座の内壁に外ネジに噛合され
る内ネジが成形されており、
前記内ネジと外ネジの噛合によって前記ハウジングが時計回りに回動する場合にハウジ
ングが底座に対して上昇する一方、前記ハウジングが逆時計回りに回動する場合にハウジ
ングが底座に対して下降するように構成されており、
前記底座内に外ネジ管に同軸に設置される送電台が回動自在に接続されており、前記送
電台の下端中心に電気接続台に回動自在に挿設され且つ電気接続される第二電気接続棒が
取付けられており、
前記外ネジ管の内壁に縦方向に沿って設置される複数個の摺動溝が成形されており、前
記送電台の外壁上部に摺動溝に縦方向に摺動自在に接続される摺動ブロックが成形されて
おり、これにより前記外ネジ管と送電台は週方向に同期回動可能、および軸方向に相対移
動可能とさせており、前記第二電気接続棒は導線を介して回路基板に電気接続されている
、
ことを特徴とする首振り式羽なし扇風機。
【請求項２】
前記排気套の下端にハウジング回転軸が成形されており、前記底座の上端中心に前記ハ
ウジング回転軸に回動自在に套嵌されるハウジング回動溝が成形されており、前記ハウジ
ング回転軸とハウジング回動溝の間に軸受が取付けられている、
ことを特徴とする請求項１に記載の首振り式羽なし扇風機。
【請求項３】
前記ハウジング回転軸が底座内に延伸しており、前記ハウジング回転軸の下端は底座内
に位置し、回路基板を配置するための取付フレームを固定的に接続しており、
前記底座内の底部中心に外部電源に電気接続される電気接続台がが取付けられており、
前記取付フレームの下端に前記電気接続台に回動自在に挿設され且つ電気接続される電気
接続棒が接続されており、
前記取付フレーム内に電気接続棒に電気接続される送電コネクターが取付けられており
、前記回路基板と送電コネクターとが電気接続されている、
ことを特徴とする請求項２に記載の首振り式羽なし扇風機。
【請求項４】
前記ハウジング回転軸に縦方向に前記ハウジング回転軸を貫通する、導線を貫通させる
ための配線穴が成形されており、前記送風機の導線が配線穴を貫通して回路基板に電気接
続されており、
前記ハウジング回転軸の側壁に配線穴に連通するセンサー配線口が成形されており、前
記赤外線センサーの導線がセンサー配線口および配線穴を介して回路基板に電気接続され
ている、
ことを特徴とする請求項２に記載の首振り式羽なし扇風機。
【請求項５】
前記ハウジングに加湿ユニットが取付けられており、前記ハウジングは両本機套間に成
形される、加湿ユニットを配置するための加湿ユニット取付部をさらに含み、
前記加湿ユニットは前記加湿ユニット取付部内に取外し可能に取り付けられ水が充填さ
れる水溝、および前記水溝の下部に取付けられる、水溝内の水を霧化させるための微小穴
超声霧化器を含む、
ことを特徴とする請求項１に記載の首振り式羽なし扇風機。
【請求項６】
前記加湿ユニット取付部の側壁に水溝位置決め磁石が固定的に接続されており、前記水
溝の側壁に水溝位置決め磁石と相互に吸い付けられる水溝吸着磁石が固定的に接続されて
いる、
ことを特徴とする請求項５に記載の首振り式羽なし扇風機。
【発明の詳細な説明】
【技術分野】
【０００１】
本発明は扇風機の技術分野に関し、具体的に首振り式羽なし扇風機に関する。
【背景技術】
【０００２】
従来例としては、特許文献１は、気流を形成するための風機ユニットおよび携帯立型の
扇風機を提案した。該風機ユニットは基部（１２）を含み、該基部は空気入口（２０）と
空気出口（８８）を含み、また、該基部はインペラ（６４）とインペラを回転させるため
のモータ（６８）を支持して備える。このような構成により、空気が入口から出口へ流れ
る気流を形成することができる。該風機ユニットは鉛直方向に設置される細長い環形ノズ
ル（１４）をさらに含み、該ノズルは内部通路（９４）と気流を噴射する嘴部（２６）と
を具備する。内部通道は基部から気流を受ける空気入口（１０２）を備える。該ノズルは
開口（２４）を限定している。風機ユニット外部からの空気は該開口から嘴部から発射し
た気流により吸入される。
【０００３】
特許文献１の上記構成では、インペラを底面の上端に位置する基部内に設置することに
より、インペラおよび空気入口から底面までの距離を近くする。インペラはその動作際に
底面の上方の空気を基部内に吸入する。その過程では気流が底面のほこりを巻き上げるこ
とで、ユーザの呼吸を邪魔しやすくなり、使用に影響を与える。呼吸障害や呼吸病気のあ
るユーザであればより深刻な危害がある。
【先行技術文献】
【特許文献】
【０００４】
【特許文献１】中国特許出願第１０１８５２２１４Ａ号
【発明の概要】
【０００５】
本発明はこのような課題の抜本的な解決を目的としており、インペラから底面までの距
離を遠くして埃を巻き上げ難い首振り式羽なし扇風機を提供する。その目的を達成するた
めに、本発明にかかる首振り式羽なし扇風機は、以下のように構成される。
【０００６】
首振り式羽なし扇風機は底座、および前記底座の上端に回動自在に接続されるハウジン
グを含むものであって、
前記ハウジングは環状の排気套、前記排気套の内周に位置される両本機套、および前記排
気套と各本機套を連通する通気管を含み、
各前記本機套内に前記通気管側方向に向けて送風する送風機が取付けられており、
前記本機套の後端に進気口が設けられており、
前記排気套は両本機套にそれぞれ対応して連通する両通気チャンパーを含み、各前記本機
套と対応の通気チャンパーとが通気管を介して連通しており、
前記通気チャンパーの前端に排気スリットが設けられ、前記排気スリットは両通気チャン
パーにそれぞれ対応して連通する左排気スリットおよび右排気スリットが設けられており
、
両前記送風機が異なる出力で動作する時に前記左排気スリットおよび右排気スリットから
異なる速度の気流を吹き出して前記ハウジングを底座に対して回動可能とさせるように構
成されており、
前記排気套の下端に取付套が成形されており、前記取付套が前記ハウジング回転軸の外周
に同軸に設けられており、前記取付套の側壁に週方向に沿って均一にユーザの位置を検出
するための複数個の赤外線センサーが取付けられており、
前記取付套の下端に前記底座に回動自在に挿設される外ネジ管が固定的に接続されており
、前記外ネジ管の外壁に外ネジが設けられており、前記底座の内壁に外ネジに噛合される
内ネジが成形されており、
前記内ネジと外ネジの噛合によって前記ハウジングが時計回りに回動する場合にハウジン
グが底座に対して上昇する一方、前記ハウジングが逆時計回りに回動する場合にハウジン
グが底座に対して下降するように構成されており、
前記底座内に外ネジ管に同軸に設置される送電台が回動自在に接続されており、前記送電
台の下端中心に電気接続台に回動自在に挿設され且つ電気接続される第二電気接続棒が取
付けられており、
前記外ネジ管の内壁に縦方向に沿って設置される複数個の摺動溝が成形されており、前記
送電台の外壁上部に摺動溝に縦方向に摺動自在に接続される摺動ブロックが成形されてお
り、これにより前記外ネジ管と送電台は週方向に同期回動可能、および軸方向に相対移動
可能とさせており、前記第二電気接続棒は導線を介して回路基板に電気接続されている。
【０００７】
好ましくは、前記排気套の下端にハウジング回転軸が成形されており、前記底座の上端中
心に前記ハウジング回転軸に回動自在に套嵌されるハウジング回動溝が成形されており、
前記ハウジング回転軸とハウジング回動溝の間に軸受が取付けられている。
【０００８】
好ましくは、前記ハウジング回転軸が底座内に延伸しており、前記ハウジング回転軸の下
端が底座内に位置され回路基板を配置するための取付フレームを固定的に接続しており、
前記底座内の底部中心に外部電源に電気接続される電気接続台がが取付けられており、前
記取付フレームの下端に前記電気接続台に回動自在に挿設され且つ電気接続される電気接
続棒が接続されており、前記取付フレーム内に電気接続棒に電気接続される送電コネクタ
ーが取付けられており、前記回路基板と送電コネクターとが電気接続されている。
【０００９】
好ましくは、前記ハウジング回転軸に縦方向に前記ハウジング回転軸を貫通する、導線を
貫通させるための配線穴が成形されており、前記送風機の導線が配線穴を貫通して回路基
板に電気接続されており、前記ハウジング回転軸の側壁に配線穴に連通するセンサー配線
口が成形されており、前記赤外線センサーの導線がセンサー配線口および配線穴を介して
回路基板に電気接続されている。
【００１０】
好ましくは、前記ハウジングに加湿ユニットが取付けられており、前記ハウジングは両本
機套間に成形される、加湿ユニットを配置するための加湿ユニット取付部をさらに含み、
前記加湿ユニットは前記加湿ユニット取付部内に取外し可能に取り付けられ水が充填され
る水溝、および前記水溝の下部に取付けられる、水溝内の水を霧化させるための微小穴超
声霧化器を含む。
【００１１】
好ましくは、前記加湿ユニット取付部の側壁に水溝位置決め磁石が固定的に接続されてお
り、前記水溝の側壁に水溝位置決め磁石と相互に吸い付けられる水溝吸着磁石が固定的に
接続されている。
【００１２】
従来技術に対して本発明は、電源バタンを押すと、両送風機が等しい出力で動作して、離
心インペラにより外部空気を本機套内に抽入して通気管を経て排気套内に吹入して排気ス
リットから吹出するようにできるという有益な効果がある。
【００１３】
一定の範囲で風を吹き出そうとする場合、スイングバタンを押すと、回路基板により両送
風機のモータを協働動作させるように制御することにより、ハウジングを予定の角度範囲
で往復揺動させる。具体的には以下の通りである。
【００１４】
回路基板により、左モータの出力を右モータより大きく、左排気スリットから吹出す気流
速度を右排気スリットから吹出す気流速度より大きく制御して、ハウジングが時計回りに
回動して予定の時間に達すると、回路基板は右モータの出力を左モータ出力より大きく制
御して、ハウジングが逆時計回りに回動して予定の時間に達すると、回路基板は左モータ
の出力を右モータより大きく制御する。以上の過程を繰り返しては、ハウジングを予定の
範囲で揺動し続けるようにする。
【００１５】
両モータの異なる出力で動作する時間を制御することにより、ハウジングの回動角度を制
御する。
【００１６】
更に言えば、赤外線センサーにより周りのユーザの位置を検出し検出信号を回路基板に発
送して、回路基板により両モータを協働動作させるように制御することにより、ハウジン
グは回動し、排気スリットがユーザの方向に向かうようになる。これにより、ユーザは底
座を移動しなくても吹風方向を改変できる。
【００１７】
例えば、ハウジングの左側にユーザが位置する場合、左側の赤外線センサーによりユーザ
の存在する位置を検出すると、制御器により左モータの出力を右モータより大きく制御し
て、ハウジングを時計回りに回動させる。直前方の赤外線センサーによりユーザを検出す
ると、制御器により等しい出力で両モータを動作させるように、或いは両モータを協働動
作させるように制御して、ユーザの存在する範囲内（２０°〜９０°）でハウジングを揺
動させる。
【００１８】
要するに、本発明は両排気スリットから吹出す気流速度を不等にすることにより、ハウジ
ングの左右両側から流出する気流のハウジングに対する作用力の大きさを不等にして、ハ
ウジング全体にトルクを発生させて時計回り又は逆時計回りに回動させる。
【図面の簡単な説明】
【００１９】
【図１】本発明の構成模式図である。
【図２】本発明の断面構成模式図である。
【図３】本発明の分解構成模式図である。
【図４】本発明にかかるハウジングの構成模式図である。
【図５】本発明にかかるハウジングの構成模式図である。
【図６】本発明にかかる取付フレームの構成模式図である。
【図７】本発明にかかる底座の断面構成模式図である。
【図８】本発明実施例２にかかる構成模式図である。
【図９】本発明実施例２にかかる分解構成模式図である。
【図１０】本発明実施例２にかかる水溝の断面構成模式図である。
【図１１】本発明実施例３にかかる構成模式図である。
【図１２】本発明実施例３にかかる分解構成模式図である。
【図１３】本発明にかかる送電台の構成模式図である。
【図１４】本発明にかかる外ネジ管の断面構成模式図である。
【図１５】本発明実施例３にかかる底座の断面構成模式図である。
【図１６】本発明実施例３にかかるハウジングが最上位置止め置まで移動した時の構成模式図である。
【図１７】本発明実施例３にかかるハウジングが最下位置止め置まで移動した時の構成模式図である。
【発明を実施するための形態】
【００２０】
本発明の最も重要な特徴を、以下の詳細な説明をより適当に理解できるよう、かつ、当
分野における本発明の貢献がより理解されるよう、概略というよりは要点を述べた。本発
明のその他の特徴は、関連図面ならびに特許請求の範囲とともに以下の本発明の詳細な説
明から、あるいは本発明を実施することにより明らかになるであろう。下記における実施
例は、単に本発明を実施する一部の実施例であり、すべての実施例と理解してはならない
。本発明における実施例に基づいて当業者が創造的な労働を費やさず得られるすべての他
の実施例は、本発明の保護を求める範囲に属すべきである。
【実施例１】
【００２１】
図１から図７に示すように、本実施例における前記首振り式羽なし扇風機は底座２及び
前記底座の上端に回動自在に接続されるハウジング１を含み、さらに前記ハウジングは環
状の排気套１３、排気套内周に位置される両本機套１１、及び排気套と各本機套とを連通
する通気管１２を含む。また、各前記本機套内に通気管側方向に向けて送風する送風機が
取付けられている。
【００２２】
前記送風機は本機套内に固定的に取付けられるモータ３２、及びモータの出力軸に固定的
に接続される離心インペラ３１を含む。
【００２３】
前記本機套の後端に進気口が備えられる。前記本機套の後端における進気口に位置する位
置に後蓋３０が固定的に接続される。前記後蓋に均一に進気穴が成形されている。
【００２４】
前記排気套は両本機套にそれぞれ対応して連通する両通気チャンパーを含む。各前記本機
套と対応の通気チャンパーは通気管を介して連通される。
【００２５】
前記通気チャンパーの前端に排気スリットが設けられ、前記排気スリットは両通気チャン
パーにそれぞれ対応して連通する左排気スリットおよび右排気スリットが設けられている
。
【００２６】
異なる出力で両前記送風機が動作すると、前記左排気スリットおよび右排気スリットから
異なる速度の気流を吹き出して前記ハウジングを底座に対して回動可能とさせる。
【００２７】
前記排気套内に両仕切板１３１が設けられる。両前記仕切板により前記排気套を両前記通
気チャンパーに仕切る。
【００２８】
左排気スリットに対応するモータは左モータとし、右排気スリットに対応するモータは右
モータとしている。
【００２９】
左モータの出力が右モータの出力より大きくすると、左排気スリットから吹出す気流速度
が右排気スリットから吹出す気流速度より大きくなり、ハウジングの左側に受ける作用力
が右側に受ける作用力より大きくなり、ハウジングに正方向のトルクを発生させて、ハウ
ジングを時計回りに回動させる。
【００３０】
右モータの出力が左モータの出力より大きくすると、右排気スリットから吹出す気流速度
が左排気スリットから吹出す気流速度より大きくなり、ハウジングの右側に受ける作用力
が左側に受ける作用力より大きくなり、ハウジングに反対方向のトルクを発生させて、ハ
ウジングを逆時計回りに回動させる。
【００３１】
左モータと右モータの出力を同じくすると、ハウジングは回動しない。
【００３２】
前記排気套の下端にハウジング回転軸１４２が成形される。前記底座の上端中心に前記ハ
ウジング回転軸に回動自在に套嵌されるハウジング回動溝２２が成形される。前記ハウジ
ング回転軸とハウジング回動溝の間に軸受１０が取付けられる。
【００３３】
前記軸受はハウジングの回動時におけるハウジングと底座間の摩擦を減少する。
【００３４】
前記排気套の下端に取付套１４が成形される。前記取付套が前記ハウジング回転軸の外周
に同軸に設けられる。前記底座の上端に取付套の内周に位置される位置決めリング２１が
成形される。
【００３５】
前記取付套の側壁に週方向に沿って均一にユーザの位置を検出するための複数個の赤外線
センサー２３が取付けられる。
【００３６】
前記取付套の側壁に週方向に沿って均一に複数個の貫通穴１４１が成形される。各赤外線
センサーと各貫通穴は対向している。前記赤外線センサーは焦電センサとしている。
【００３７】
前記赤外線センサーはユーザがハウジングに対してある位置に位置することを検出すると
、両モータが協働動作することによりハウジングが回動して、排気スリットはユーザの方
向に向かうとともに、ユーザの存在する一定の範囲内で回動して、領域的な風吹きを行う
か、あるいは排気スリットはユーザに面して持続的な風吹きを行う。
【００３８】
前記ハウジング回転軸は底座内に延伸している。前記ハウジング回転軸の下端は底座内に
位置し、回路基板を配置するための取付フレーム４を固定的に接続している。
【００３９】
前記底座内の底部中心に外部電源に電気接続される電気接続台２０１が取付けられる。
【００４０】
前記取付フレームの下端に前記電気接続台に回動自在に挿設され且つ電気接続される電気
接続棒４１が接続される。
【００４１】
前記取付フレーム内に電気接続棒に電気接続される送電コネクター４２が取付けられ、前
記回路基板と送電コネクターとが電気接続されている。
【００４２】
前記電気接続棒は絶縁材からなる主体、主体外壁に設けられる導電可能な正電極リングお
よび負電極リングを含む。前記正電極リング、負電極リングと回路基板とが電気接続され
る。前記電気接続台に挿嵌溝が成形される。前記挿嵌溝の内壁に正電極リングに回動自在
に電気接続される正電極溝、負電極リングに回動自在に電気接続される負電極溝が設けら
れる。
【００４３】
ハウジングが回動する時に、取付フレーム、回路基板及び導線も同期に回動することによ
り、導線間の巻き回しを回避できる。
【００４４】
前記底座の下端にシャーシ２０が固定的に接続される。前記電気接続台はシャーシに設置
される。
【００４５】
前記ハウジング回転軸に縦方向に前記ハウジング回転軸を貫通する、導線を貫通させるた
めの配線穴１４２２が成形されており、前記送風機の導線が配線穴を貫通して回路基板に
電気接続される。
【００４６】
前記ハウジング回転軸の側壁に配線穴に連通するセンサー配線口１４２１が成形されてお
り、前記赤外線センサーの導線がセンサー配線口および配線穴を通して回路基板に電気接
続されている。
【００４７】
本発明中の「左」と「右」は、ユーザが排気スリットに対向する際の位置関係にある（図
１に示される）。
【００４８】
前記ハウジングに電源バタン、加速バタン、減速バタン、スイングバタンが設けられる。
前記電源バタン、加速バタン、減速バタン、スイングバタンはそれぞれ回路基板に電気接
続される。
【００４９】
電源バタンを押すと、回路基板はモータを動作させるように制御する。再び電源バタンを
押すと、回路基板はモータを動作停止させるよう制御する。
【００５０】
加速バタンを押すと、回路基板はモータの回転数を予定値だけ増加させるように制御する
。
【００５１】
減速バタンを押すと、回路基板はモータの回転数を予定値だけ減少させるように制御する
。
【００５２】
スイングバタンを押すと、回路基板は両モータを協働動作させるように制御することによ
り、ハウジングを所定の角度範囲内で回動させる。再びスイングバタンを押すと、回路基
板は両モータを等しい出力で動作させるように制御して、ハウジングは回動しない。
【００５３】
ユーザが電源バタンを押すと、両送風機が等しい出力にて動作して、離心インペラにより
外部空気を本機套内に抽入して、通気管を経て排気套内に吹入して排気スリットから吹出
する。
【００５４】
一定の範囲に対して風を吹き出そうとする場合、スイングバタンを押すと、回路基板によ
り両送風機のモータを協働動作させるように制御することにより、ハウジングを予定の角
度範囲で往復揺動させる。具体的には以下の通りである。
【００５５】
回路基板は左モータの出力を右モータより大きく、左排気スリットから吹出す気流速度を
右排気スリットから吹出す気流速度より大きく制御して、ハウジングが時計回りに回動し
て予定の時間に達すると、回路基板は右モータの出力を左モータ出力より大きく制御して
、ハウジングが逆時計回りに回動して予定の時間に達すると、回路基板は左モータの出力
を右モータより大きく制御する。以上の過程を繰り返してハウジングは予定の範囲で揺動
し続けるようにできる。
【００５６】
両モータの異なる出力で動作する時間を制御することにより、ハウジングの回動角度を制
御する。
【００５７】
赤外線センサーにより付近のユーザの位置を検出して検出信号を回路基板に発送して、回
路基板により両モータを協働動作させるように制御することによりハウジングを回動させ
て、排気スリットはユーザの方向に向かうようになる。これにより、ユーザは底座を移動
しなくても吹風方向を改変し得る。
【００５８】
例えば、ハウジングの左側にユーザが位置する場合、左側の赤外線センサーによりユーザ
の存在する位置を検出すると、制御器により左モータの出力を右モータより大きく制御し
て、ハウジングを時計回りに回動させる。直前方の赤外線センサーはユーザの存在を検出
すると、制御器により等しい出力で両モータを動作させるように、或いは両モータを協働
動作させるように制御して、ユーザの存在する範囲内（２０°から９０°）でハウジング
を揺動させる。
【００５９】
要するに、本発明は両排気スリットから吹出す気流速度を不等にすることにより、ハウジ
ングの左右両側から流出する気流のハウジングに対する作用力の大きさが不等となり、ハ
ウジング全体にトルクを発生させて時計回り又は逆時計回りに回動させる。
【実施例２】
【００６０】
図８から図１０に示されるように、本実施例は、実施例１の上で殊更下記の改進を提供す
る。前記ハウジングに加湿ユニットが取付けられる。前記ハウジングは両本機套間に成形
される、加湿ユニットを配置するための加湿ユニット取付部１５をさらに含む。
【００６１】
前記加湿ユニットは、前記加湿ユニット取付部内に取外し可能に取り付けられ水が充填さ
れる水溝５１および、前記水溝の下部に取付けられる、水溝内の水を霧化させるための微
小穴超声霧化器５３を含む。
【００６２】
前記水溝の下部に微小穴超声霧化器を取付けるための霧化器取付溝５１１が成形される。
前記加湿ユニット取付部の側壁下部に微小穴超声霧化器に対向する、霧化済みの水霧を通
らせるための加湿穴が成形される。
【００６３】
前記加湿ユニット取付部の側壁に水溝位置決め磁石１５１が固定的に接続される。前記水
溝の側壁に水溝位置決め磁石と相互に吸い付けられる水溝吸着磁石５１２が固定的に接続
される。水溝が加湿ユニット取付部内に位置する時に、水溝位置決め磁石と水溝吸着磁石
が相互が吸いつけられることにより、水溝が加湿ユニット取付部１５から容易に脱離する
ことができない。
【００６４】
前記水溝における加湿ユニット取付部と反対側の外壁上部に、ユーザにより水溝を取り出
すための取っ手溝が成形される。
【００６５】
前記水溝の上端に上端蓋５２が取付けられている。
【００６６】
前記水溝の下端に霧化制御器取付溝が成形される。前記霧化制御器取付溝内に霧化制御器
が取付けられる。前記霧化制御器取付溝の下端に下端蓋５４が接続される。
【００６７】
前記霧化制御器取付溝の側壁に霧化制御器に電気接続される霧化電極が固定的に接続され
る。前記加湿ユニット取付部内に前記霧化電極に対向して前記回路基板に電気接続される
第二霧化電極が取付けられる。水溝を加湿ユニット取付部内に取付ける時に、霧化電極と
第二霧化電極の接触により電気接続を実現することにより、霧化電極と第二霧化電極によ
り霧化制御器が回路基板へ電気接続される。
【００６８】
前記ハウジングに微小穴超声霧化器をオンオフさせるように制御できる霧化バタンが設け
られる。
【００６９】
ユーザが室内を加湿しょうとする時に、霧化バタンを押すと、微小穴超声霧化器は動作を
始め、水溝内の水を霧化するとともに、加湿ユニット取付部の外側へ排出する。また、離
心インペラの動作時に生じる気流によって霧気を室内の各箇所へ吹き回す。
【実施例３】
【００７０】
図１１から図１７に示されるように、本実施例では、前述した実施例との相違点は以下の
通りである。前記取付套の下端に前記底座に回動自在に挿設される外ネジ管６が固定的に
接続されており、前記外ネジ管の外壁に外ネジが設けられており、前記底座の内壁に外ネ
ジに噛合される内ネジ２３が成形されており、前記内ネジと外ネジの噛合によって前記ハ
ウジングが時計回りに回動する場合にハウジングが底座に対して上昇する一方、前記ハウ
ジングが逆時計回りに回動する場合にハウジングが底座に対して下降する。
【００７１】
前記取付フレームは外ネジ管内に位置し、かつ外ネジ管と同期に回動する。
【００７２】
前記底座内に外ネジ管に同軸に設置される送電台７が回動自在に接続される。前記送電台
の下端中心に電気接続台に回動自在に挿設され且つ電気接続される第二電気接続棒７２が
取付けられている。
【００７３】
前記外ネジ管の内壁に縦方向に沿って設置される複数個の摺動溝６１が成形されており、
前記送電台の外壁上部に摺動溝に縦方向に摺動自在に接続される摺動ブロック７１が成形
されており、これにより前記外ネジ管と送電台は週方向に同期回動可能、および軸方向に
相対移動可能とさせており、前記第二電気接続棒は導線を介して回路基板に電気接続され
る。
【００７４】
前記第二電気接続棒と回路基板間の導線は好ましくは、スプリングワイヤである。
【００７５】
前記送電台の下方に位置止めシート８が取付けられる。前記位置止めシートの上端と送電
台の下端との間にテンションセンサー８１が設けられる。前記シャーシの上端におけるテ
ンションセンサーより外周部に複数個の位置止め部２０２が成形される。前記位置止め部
の上端に位置止めシートの上方に位置されテンションセンサーの中心へ延伸する位置止め
ヘッドが成形される。摺動ブロックが摺動溝の両端部間に摺動する時に、テンションセン
サーは位置止めヘッドに接触しない。
【００７６】
ハウジングにハウジングを上昇させるように制御する上昇バタンおよび、ハウジングを下
降させるように制御する下降バタンが設けられる。また、本発明はリモートをさらに含ん
でもよく、その場合、前記リモートは無線信号により回路基板と通信接続するもので、前
記上昇バタンおよび下降バタンなどはリモートに設置される。
【００７７】
上昇バタンを押すと、回路基板により両モータを所定の期間だけ協働動作させるように制
御して、ハウジングを時計回りに一定の回数だけ回動させてハウジングを所定の距離だけ
上昇させる。
【００７８】
下降バタンを押すと、回路基板により両モータを所定の期間だけ協働動作させるように制
御して、ハウジングを逆時計回りに一定の回数だけ回動させてハウジングを所定の距離だ
け下降させる。
【００７９】
摺動ブロックが摺動溝の下方側壁に接触すると、ハウジングは縦方向に最上限位置まで移
動して、この際は、ハウジングが引き続き時計回りに回動してハウジングを上方向に移動
させて、外ネジ管に連動して送電台が上方向に移動して、位置止めヘッドと位置止めシー
トが接触して位置止めシートの上方向移動を阻止して、位置止めシートと送電台の間は相
対変位して、テンションセンサーにテンションを受けて、検出した信号を回路基板へ発送
して、回路基板により両モータを協働動作させるように制御することによりハウジングに
回動を停止させる。
【符号の説明】
【００８０】
１  ハウジング
１０  軸受
１１  本機套
１２  通気管
１３  排気套
１３１  仕切板
１３２  排気スリット
１４  取付套
１４１  貫通穴
１４２  ハウジング回転軸
１４２１  センサー配線口
１４２２  配線穴
１５  加湿ユニット取付部
１５１  水溝位置決め磁石
２  底座
２０  シャーシ
２０１  電気接続台
２０２  位置止め部
２１  位置決めリング
２２  ハウジング回動溝
２３  内ネジ
３０  後蓋
３１  離心インペラ
３２  モータ
３３  赤外線センサー
４  取付フレーム
４１  電気接続棒
４２  送電コネクター
５１  水溝
５１１  霧化器取付溝
５１２  水溝吸着磁石
５２  上端蓋
５３  微小穴超声霧化器
５４  下端蓋
６  外ネジ管
６１  摺動溝
７  送電台
７１  摺動ブロック
７２  第二電気接続棒
８  位置止めシート
８１  テンションセンサー
【図１】
2020122478.tif 000003
【図２】
2020122478.tif 000004
【図３】
2020122478.tif 000005
【図４】
2020122478.tif 000006
【図５】
2020122478.tif 000007
【図６】
2020122478.tif 000008
【図７】
2020122478.tif 000009
【図８】
2020122478.tif 000010
【図９】
2020122478.tif 000011
【図１０】
2020122478.tif 000012
【図１１】
2020122478.tif 000013
【図１２】
2020122478.tif 000014
【図１３】
2020122478.tif 000015
【図１４】
2020122478.tif 000016
【図１５】
2020122478.tif 000017
【図１６】
2020122478.tif 000018
【図１７】
2020122478.tif 000019
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
底座、および前記底座の上端に回動自在に接続されるハウジングを含む首振り式羽なし
扇風機であって、
前記ハウジングは環状の排気套、前記排気套の内周に位置される両本機套、および前記
排気套と各本機套を連通する通気管を含み、
各前記本機套内に前記通気管側方向に向けて送風する送風機が取付けられており、
前記本機套の後端に進気口が設けられており、
前記排気套は両本機套にそれぞれ対応して連通する両通気チャンパーを含み、各前記本
機套と対応の通気チャンパーとが通気管を介して連通するものであり、
前記通気チャンパーの前端に排気スリットが設けられ、前記排気スリットは両通気チャ
ンパーにそれぞれ対応して連通する左排気スリットおよび右排気スリットが設けられてお
り、
異なる出力で両前記送風機が動作する時に前記左排気スリットおよび右排気スリットか
ら異なる速度の気流を吹き出して前記ハウジングを底座に対して回動可能とさせるように
構成されており、
前記排気套の下端に取付套が成形されており、前記取付套が前記ハウジングの回転軸の
外周に同軸に設けられており、前記取付套の側壁に週方向に沿って均一にユーザの位置を
検出するための複数個の赤外線センサーが取付けられており、
前記取付套の下端に前記底座に回動自在に挿設される外ネジ管が固定的に接続されてお
り、前記外ネジ管の外壁に外ネジが設けられており、前記底座の内壁に外ネジに噛合され
る内ネジが成形されており、
前記内ネジと外ネジの噛合によって前記ハウジングが時計回りに回動する場合にハウジ
ングが底座に対して上昇する一方、前記ハウジングが逆時計回りに回動する場合にハウジ
ングが底座に対して下降するように構成されており、
前記底座内に外ネジ管に同軸に設置される送電台が回動自在に接続されており、前記送
電台の下端中心に電気接続台に回動自在に挿設され且つ電気接続される第二電気接続棒が
取付けられており、
前記外ネジ管の内壁に縦方向に沿って設置される複数個の摺動溝が成形されており、前
記送電台の外壁上部に摺動溝に縦方向に摺動自在に接続される摺動ブロックが成形されて
おり、これにより前記外ネジ管と送電台は週方向に同期回動可能、および軸方向に相対移
動可能とさせており、前記第二電気接続棒は導線を介して回路基板に電気接続されている
、
ことを特徴とする首振り式羽なし扇風機。
【請求項２】
前記ハウジングに加湿ユニットが取付けられており、前記ハウジングは両本機套間に成
形される、加湿ユニットを配置するための加湿ユニット取付部をさらに含み、
前記加湿ユニットは前記加湿ユニット取付部内に取外し可能に取り付けられ水が充填さ
れる水溝、および前記水溝の下部に取付けられる、水溝内の水を霧化させるための微小穴
超声霧化器を含む、
ことを特徴とする請求項１に記載の首振り式羽なし扇風機。
【請求項３】
前記加湿ユニット取付部の側壁に水溝位置決め磁石が固定的に接続されており、前記水
溝の側壁に水溝位置決め磁石と相互に吸い付けられる水溝吸着磁石が固定的に接続されて
いる、
ことを特徴とする請求項２に記載の首振り式羽なし扇風機。